(57)【要約】      （修正有）【課題】サイズの調整可能として、適切な締め付け効果を得られるようにする勃起障害改善リングの提供。【解決手段】勃起障害改善リング（１）であって、所定長さのゴムチューブ（２）の内部に、複数の磁気ピース（３）およびゲルマニウムピース（４）を所定の順序で挿入するとともに、ゴムチューブ（２）をＵ字状に曲げ、ゴムチューブ（２）の両端を共に止め輪（５）に通して、ゴムチューブ（２）を逆しずく輪郭のリング状とし、さらにゴムチューブ（２）の各端にキャップ（６）を固定してなる。【選択図】図１
0003113143.tif 000002
【実用新案登録請求の範囲】
【請求項１】
所定長さのゴムチューブ（２）の内部に、複数の磁気ピース（３）を挿入するとともに、ゴムチューブ（２）をＵ字状に曲げ、ゴムチューブ（２）の両端を共に止め輪（５）に通して、ゴムチューブ（２）を逆しずく輪郭のリング状としてなることを特徴とする勃起障害改善リング（１）。
【請求項２】
所定長さのゴムチューブ（２）の内部に、複数の磁気ピース（３）およびゲルマニウムピース（４）を所定の順序で挿入するとともに、ゴムチューブ（２）をＵ字状に曲げ、ゴムチューブ（２）の両端を共に止め輪（５）に通して、ゴムチューブ（２）を逆しずく輪郭のリング状とし、さらにゴムチューブ（２）の各端にキャップ（６）を固定してなることを特徴とする勃起障害改善リング（１）。
【考案の詳細な説明】
【技術分野】
【０００１】
本考案は、陰茎勃起を助長させ、勃起障害（ＥＤ）を改善するリングに関する。
【背景技術】
【０００２】
特許文献１に勃起障害改善用の器具として磁気リングが開示されているが、それはサイズの調整に難点があり、適切な締め付け効果が得にくい。
【特許文献１】実用新案登録第３０７８７２３号公報
【考案の開示】
【考案が解決しようとする課題】
【０００３】
本考案の課題は、サイズの調整可能として、適切な締め付け効果を得られるようにするとともに、勃起障害の改善に有効な機能を得ることである。
【課題を解決するための手段】
【０００４】
上記課題のもとに、本考案は、所定長さのゴムチューブ（２）の内部に、複数の磁気ピース（３）を挿入するとともに、ゴムチューブ（２）をＵ字状に曲げ、ゴムチューブ（２）の両端を共に止め輪（５）に通して、ゴムチューブ（２）を逆しずく輪郭のリング状として、勃起障害改善リング（１）を構成している（請求項１）。
【０００５】
また本考案は、所定長さのゴムチューブ（２）の内部に、複数の磁気ピース（３）およびゲルマニウムピース（４）を所定の順序で挿入するとともに、ゴムチューブ（２）をＵ字状に曲げ、ゴムチューブ（２）の両端を共に止め輪（５）に通して、ゴムチューブ（２）を逆しずく輪郭のリング状とし、さらにゴムチューブ（２）の各端にキャップ（６）を固定して、勃起障害改善リング（１）を構成している（請求項２）。
【考案の効果】
【０００６】
請求項１の構造の勃起障害改善リング（１）によると、ゴムチューブ（２）が逆しずく輪郭のリング状となり、装着時に陰茎全周、特に下部の海綿組織において強い適切な締め付け力分布が得られるから、勃起の誘発に有効であり、しかも装着時に磁気ピース（３）の磁束が陰茎に血流を促すから、勃起維持の効果が期待できる。
【０００７】
請求項２の構造の勃起障害改善リング（１）によると、上記請求項１の効果のほかに、ゲルマニウムピース（４）の生体電流の調整機能によって、性的機能が一層改善される。
【考案を実施するための最良の形態】
【０００８】
図１は、本考案に係る勃起障害改善リング１を示している。勃起障害改善リング１は、ゴムチューブ２の内部に、複数の磁気ピース３、必要に応じて複数のゲルマニウムピース４を所定の順序で挿入するとともに、ゴムチューブ２をその長さの中央部でＵ字状に曲げ、ゴムチューブ２の両端を共にシリコンゴム製の止め輪５に通して、ゴムチューブ２を逆しずく（滴）輪郭のリング状とし、さらにゴムチューブ２の各端に抜け止め用のキャップ６を固定して構成されている。なお、ゴムチューブ２は、所定長さ、通常１４〔ｃｍ〕で太さ４〔ｍｍ〕程度の柔軟で透明なシリコンゴム製である。
【０００９】
複数の磁気ピース３および複数のゲルマニウムピース４は、共に直径３〔ｍｍ〕、長さ４〔ｍｍ〕程度の円柱状であり、その挿入順序は、例えは交互とし、逆しずく輪郭のリング状の部分に全域に位置させる。磁気ピース３は、強力な永久磁石例えばネオジム合金永久磁石とれば、高い磁束密度と金属イオンによる細胞活性化作用とを同時に得られる。またゲルマニウムピース４はＮ型ゲルマニウムにより構成する。なお、止め輪５は、リング状のゴムチューブ２の内径調整のために、シリコンゴム製とし、その柔軟性によりゴムチューブ２の各端に位置調節可能とし、しかも同じシリコンゴムどうしの大きな摩擦係数と伸縮性とを利用して、調節位置で安定に停止するようにする。
【００１０】
勃起障害改善リング１は、次のようにして用いられる。性交に際しての使用のときには、利用者は、止め輪５を移動させ、ゴムチューブ２のリング内径を自身の陰茎に適合する大きさに調整し、就寝前または性交１５〜３０〔分〕程前に、勃起障害改善リング１のキャップ６を下として、勃起障害改善リング１を自身の陰茎の根元に装着する。
【００１１】
この装着状態で、複数の磁気ピース３は陰茎の根元周囲に位置し、血液イオンの流れを活発にし、海綿体への血流を促進する。また、複数のゲルマニウムピース４は、陰茎の根元周囲で、細胞中のプラス電気に作用し、それを中和することによって、生体電流の流れを整える。これらの機能と性的興奮によって、勃起が誘発される。
【００１２】
行為中に、勃起障害改善リング１は、医療補助器具〔絞扼（こうやく）リング〕として機能し、陰茎全周の海綿組織に適切な締め付け力を与える。すなわち、勃起障害改善リング１のゴムチューブ２は未装着時、つまり自然な状態のとき、逆しずく（滴）輪郭のリング状であるが、装着すると、ほぼ円形になり、Ｕ字状に曲げ部分で殆ど屈曲しないが、止め輪５に近いゆるいカーブの部分（直線に近い部分）で大きく屈曲する。このためリングの中心方向に対する締め付け力は、ゆるいカーブの部分（直線に近い部分）で大きく、陰茎下部の海綿組織に対して強い適切な締め付け力となっている。陰茎の周囲およびその下部への適切な圧迫（締め付け）は経験的に勃起障害の改善に有効であり、これによって、勃起組織の海綿体による充血状態が持続的に長く維持でき、継続的な性交不能という性的障害が改善される。
【００１３】
もちろん、勃起障害改善リング１は、性交時以外の非勃起状態で常時装着することもできる。この常時装着によって、陰茎は非勃起状態にあっても磁気ピース３の血流促進作用およびゲルマニウムピース４の生体電流の調整作用を受けて、性機能を回復させるのに有効である。性交時以外の使用であれば、勃起障害改善リング１のキャップ６を上または下として、陰茎の根元または亀頭環の部分に装着する。亀頭環の部分への装着では、仮性包茎の治療も期待できる。
【産業上の利用可能性】
【００１４】
本考案に係る勃起障害改善リング１は、医師処方箋による供与のほか、いわゆる大衆療法の医療補助器具としても販売される。
【図面の簡単な説明】
【００１５】
【図１】本考案の勃起障害改善リング１の平面図である。
【符号の説明】
【００１６】
１  勃起障害改善リング
２  ゴムチューブ
３  磁気ピース
４  ゲルマニウムピース
５  止め輪
６  キャップ
【図１】
0003113143.tif 000003